(57)【要約】【課題】より広いコンテンツの中からユーザに適したコンテンツを選び出して提供できるとともに、比較的新しいコンテンツを提供できるというリアルタイム性のある情報提供システムを提供する。【解決手段】新聞社５からのニュース情報および広告主１からの広告情報を逐次広告会社４に送信してもらって広告会社４のデータベースを更新し、大学生が携帯電話１６で大学生協１０の複写機１８により複写する際に、携帯電話１６のデータを読取らせて当該ユーザの個人情報を個人情報管理会社１１から広告会社４へ送信してもらい、その個人情報にマッチするニュースや広告情報を複写機１８へ送信して複写用紙２０の裏面側にそれら情報を印刷する。【選択図】図２
2010134620.tif 000002
【特許請求の範囲】
【請求項１】
複写機により複写を行なうユーザにマッチする情報を当該複写機を利用してユーザに提供する情報提供システムであって、
ユーザの個人情報をユーザ毎に対応付けて格納しているユーザ情報データベースと、
前記複写機により複写を行なうユーザによる識別情報の入力を受付ける手段であって、当該ユーザに対応付けられた個人情報を前記ユーザ情報データベースから検索するための識別情報の入力を受付ける入力受付手段と、
前記入力受付手段により受付けられた識別情報に基づいて前記ユーザ情報データベースを検索することにより、当該識別情報を入力したユーザに対応付けられた個人情報を特定するユーザ情報特定手段と、
ユーザに提供するための複数種類のコンテンツを格納しているコンテンツデータベースと、
前記ユーザ情報特定手段により特定された個人情報に基づいて、前記コンテンツデータベースに格納されている複数種類のコンテンツの中から当該ユーザにマッチするコンテンツを特定するマッチング特定手段と、
該マッチング特定手段により特定されたコンテンツを前記複写機に送信する送信手段とを備え、
前記複写機は、複写用紙に対し、ユーザが複写する複写対象物の複写を行なうとともに前記送信手段により送信されてきたコンテンツの印刷を行なう、情報提供システム。
【請求項２】
複写機により複写を行なうユーザにマッチする情報を当該複写機を利用してユーザに提供する情報提供方法であって、
ユーザの個人情報をユーザ毎に対応付けてユーザ情報データベースに格納するステップと、
前記複写機により複写を行なうユーザによる識別情報の入力を受付けるステップであって、当該ユーザに対応付けられた個人情報を前記ユーザ情報データベースから検索するための識別情報の入力を受付けるステップと、
前記識別情報の入力を受付けるステップにより受付けられた識別情報に基づいて前記ユーザ情報データベースを検索することにより、当該識別情報を入力したユーザに対応付けられた個人情報を特定するステップと、
ユーザに提供するための複数種類のコンテンツをコンテンツデータベースに格納するステップと、
前記個人情報を特定するステップにより特定された個人情報に基づいて、前記コンテンツデータベースに格納されている複数種類のコンテンツの中から当該ユーザにマッチするコンテンツを特定するステップと、
該コンテンツを特定するステップにより特定されたコンテンツを前記複写機に送信するステップと、
複写用紙に対し、ユーザが複写する複写対象物の複写を前記複写機により行なうとともに前記送信するステップにより送信されてきたコンテンツの印刷を前記複写機により行なうステップとを備えている、情報提供方法。
【請求項３】
請求項２に記載の情報提供方法をコンピュータに実行させるためのプログラム。
【発明の詳細な説明】
【技術分野】
【０００１】
本発明は、たとえばユーザにマッチする広告やニュース情報を提供する、情報提供システム、情報提供方法および情報提供プログラムに関し、詳しくは、複写機により複写を行なうユーザにマッチする情報を当該複写機を利用してユーザに提供する情報提供システム、情報提供方法および情報提供プログラムに関する。
【背景技術】
【０００２】
複写機により複写するユーザに適した情報を当該ユーザに提供するものとして、たとえば特許文献１に記載のものがあった。
【０００３】
この特許文献１に記載のものは、複写機に備えられている複数のトレイそれぞれに、裏面側に異なった情報が記録された複写用紙を格納させておき、ユーザの個人情報に基づいてどの種類の情報が裏面側に記録されたトレイがユーザに適しているかを判別し、その適しているトレイの複写用紙を用いて複写を行ない、複写用紙の裏面側にユーザに適した情報が印刷されたものを提供するように構成されていた。
【特許文献１】特開２００７−２６６８８４号公報
【発明の開示】
【発明が解決しようとする課題】
【０００４】
しかし、この従来の技術においては、ユーザに適する情報の提供としては、予め複数種類備えられたトレイ内に事前に格納されている複写用紙の裏面側の情報に限られるという欠点があった。
【０００５】
しかも、提供する情報が事前にトレイに備えられた複写用紙に記録されているものであるために、そのトレイに複写用紙を格納したときから実際に複写するまでの期間が長ければ、古い情報がユーザに提供されることとなり、リアルタイム性が損なわれるという欠点もあった。
【０００６】
本発明は、係る実情に鑑み考え出されたものであり、その目的は、より広いコンテンツの中からユーザに適したコンテンツを選び出して提供できるとともに、比較的新しいコンテンツを提供できるというリアルタイム性のある情報提供システムを提供することである。
【課題を解決するための手段】
【０００７】
上記目的を達成するために、本発明の或る局面に従うと、複写機により複写を行なうユーザにマッチする情報を当該複写機を利用してユーザに提供する情報提供システムであって、ユーザの個人情報をユーザ毎に対応付けて格納しているユーザ情報データベースと、複写機により複写を行なうユーザによる識別情報の入力を受付ける手段であって、当該ユーザに対応付けられた個人情報をユーザ情報データベースから検索するための識別情報の入力を受付ける入力受付手段と、入力受付手段により受付けられた識別情報に基づいてユーザ情報データベースを検索することにより、当該識別情報を入力したユーザに対応付けられた個人情報を特定するユーザ情報特定手段と、ユーザに提供するための複数種類のコンテンツを格納しているコンテンツデータベースと、ユーザ情報特定手段により特定された個人情報に基づいて、コンテンツデータベースに格納されている複数種類のコンテンツの中から当該ユーザにマッチするコンテンツを特定するマッチング特定手段と、マッチング特定手段により特定されたコンテンツを複写機に送信する送信手段とを備え、複写機は、複写用紙に対し、ユーザが複写する複写対象物の複写を行なうとともに送信手段により送信されてきたコンテンツの印刷を行なう。
【０００８】
このような構成によれば、コンテンツデータベースに格納されている複数種類のコンテンツの中からユーザにマッチするコンテンツが特定されて当該ユーザに提供されるために、より広い範囲のコンテンツの中からユーザに適したコンテンツを選び出して提供することができる。しかも、提供するコンテンツがコンテンツデータベースに記憶されており、新たなコンテンツの格納あるいは更新が容易にできるために、新しいコンテンツをユーザに提供できるというリアルタイム性を発揮できるという利点もある。
【０００９】
本発明の他の局面に従うと、複写機により複写を行なうユーザにマッチする情報を当該複写機を利用してユーザに提供する情報提供システムであって、ユーザに提供するための複数種類のコンテンツを格納しているコンテンツデータベースと、複写機が読取った複写対象物の複写データに対してマッチするコンテンツをコンテンツデータベースの中から特定するマッチング特定手段と、マッチング特定手段により特定されたコンテンツを複写機に送信する送信手段とを備え、複写機は、複写用紙に対し、ユーザが複写する複写対象物の複写を行なうとともに送信手段により送信されてきたコンテンツの印刷を行なう。
【００１０】
このような構成によれば、ユーザが複写機により複写しようとする複写対象物の複写データに対してマッチするコンテンツである複写関連コンテンツが、複写用紙に印刷されてユーザに提供されるために、複写用紙に複写された複写物と、その複写物にマッチした複写関連コンテンツの印刷とが、複写用紙に対して行なわれ、ユーザは、その複写用紙を見ることにより、複写物に参考となる複写関連コンテンツも読むことができ、ユーザにとってより有用な情報を提供することができる。
【００１１】
また、複写関連コンテンツを、複写用紙の裏面側に印刷するとともに併せて広告情報またはニュース情報を印刷すれば、複写用紙の表面側に複写された複写物に興味のあるユーザが複写物関連コンテンツを読みたいと思いその複写用紙の裏面側を見ることとなり、裏面側の広告情報やニュース情報を見る動機付けの役割を複写物関連コンテンツに期待することができる。
【００１２】
好ましくは、コンテンツデータベースは、複数種類の広告情報を格納している。
さらに好ましくは、コンテンツデータベースは、ニュース情報を格納している。
【００１３】
本発明の他の局面に従うと、複写機により複写を行なうユーザにマッチする情報を当該複写機を利用してユーザに提供する情報提供システムであって、複写機により複写を行なうユーザによる識別情報の入力を受付ける手段であって、ユーザの個人情報をユーザ毎に対応付けて格納しているユーザ情報データベースから当該ユーザに対応付けられた個人情報を検索するための識別情報の入力を受付ける入力受付手段と、入力受付手段により受付けられた識別情報に基づいてユーザ情報データベースを検索することにより、当該識別情報を入力したユーザに対応付けられた個人情報を特定するユーザ情報特定手段と、ユーザに提供するための複数種類のコンテンツを格納しているコンテンツデータベースと、ユーザ情報特定手段により特定された個人情報に基づいて、コンテンツデータベースに格納されている複数種類のコンテンツの中から当該ユーザにマッチするコンテンツを特定するマッチング特定手段と、マッチング特定手段により特定されたコンテンツを複写機に送信する送信手段とを備え、複写機は、複写用紙に対し、ユーザが複写する複写対象物の複写を行なうとともに送信手段により送信されてきたコンテンツの印刷を行なう。
【００１４】
このような構成によれば、コンテンツデータベースに格納されている複数種類のコンテンツの中からユーザにマッチするコンテンツが特定されて当該ユーザに提供されるために、より広い範囲のコンテンツの中からユーザに適したコンテンツを選び出して提供することができる。しかも、提供するコンテンツがコンテンツデータベースに記憶されており、新たなコンテンツの格納あるいは更新が容易にできるために、新しいコンテンツをユーザに提供できるというリアルタイム性を発揮できるという利点もある。
【００１５】
好ましくは、複写機は、複写するユーザから複写料金を徴収する料金徴収モードと料金を徴収しない無料モードとに切換可能であり、コンテンツを印刷するときには無料モードとなる。
【００１６】
好ましくは、複写機は、複写対象物を複写用紙の表面側に複写するとともに、コンテンツを当該複写用紙の裏面側に複写する。
【００１７】
好ましくは、コンテンツ送信手段は、個人情報とのマッチング度合が高い順に複数種類のコンテンツを送信し、複写機は、複数枚の複写用紙に複写するときに、受信した複数種類のコンテンツをマッチング度合の高い順に複写する。
【００１８】
このような構成によれば、複数枚の複写用紙に複写するときに、受信した複数種類のコンテンツのマッチング度合の高い順に複写されるために、複数枚の複写用紙にそれぞれ異なった種類のコンテンツが印刷された状態となり、同じコンテンツが複数枚の複写用紙に印刷されるという無駄を防止することができる。
【００１９】
本発明の他の局面に従うと、複写機により複写を行なうユーザにマッチする情報を当該複写機を利用してユーザに提供する情報提供方法であって、ユーザの個人情報をユーザ毎に対応付けてユーザ情報データベースに格納するステップと、複写機により複写を行なうユーザによる識別情報の入力を受付けるステップであって、当該ユーザに対応付けられた個人情報をユーザ情報データベースから検索するための識別情報の入力を受付けるステップと、識別情報の入力を受付けるステップにより受付けられた識別情報に基づいてユーザ情報データベースを検索することにより、当該識別情報を入力したユーザに対応付けられた個人情報を特定するステップと、ユーザに提供するための複数種類のコンテンツをコンテンツデータベースに格納するステップ、個人情報を特定するステップにより特定された個人情報に基づいて、コンテンツデータベースに格納されている複数種類のコンテンツの中から当該ユーザにマッチするコンテンツを特定するステップと、コンテンツを特定するステップにより特定されたコンテンツを複写機に送信するステップと、複写用紙に対し、ユーザが複写する複写対象物の複写を複写機により行なうとともに送信するステップにより送信されてきたコンテンツの印刷を複写機により行なうステップとを備えている。
【００２０】
また、この発明によれば、上述した情報提供方法をコンピュータに実行させるためのプログラムである。
【００２１】
また、この発明によれば、コンピュータ読取可能な記録媒体であって、上述した情報提供方法をコンピュータに実行させるためのプログラムを記録する。
【発明を実施するための最良の形態】
【００２２】
次に、本発明の実施の形態を図面に基づいて詳細に説明する。
本実施の形態における情報提供システムの全体構成を図１に示す。
【００２３】
図１を参照して、広告主１、広告会社４、新聞社５、求人広告会社６、地域情報プロバイダ７、コンビニエンスストア８、大学生協１０、デジタルサイネージ９が、それぞれインターネット１２を経由して情報のやり取りができるように構成されている。
【００２４】
また、携帯電話網１４がゲートウェイ１３を介してインターネット１２に接続されており、携帯電話網１４に接続されている基地局１５と携帯端末の一例の携帯電話１６とが電波により通信できるように構成されている。
【００２５】
広告主１は、たとえば英会話学校や旅行代理店等の各種サービスプロバイダ、洋服店や百貨店等の各種小売店３などからなる。この広告主１のための広告が広告会社４に送られて広告会社４でデータベースに格納される。また新聞社５により作成されたニュース記事等のニュース情報が広告会社４に伝送されて広告会社４においてデータベースに蓄積される。ユーザが自分の所有する携帯電話１６により通話したりWebサイトにアクセスする場合には、携帯電話１６と基地局１５との間で電波での送受信を行ない、基地局１５、携帯電話網１４、ゲートウェイ１３、インターネット１２を経由して他のユーザの所持する携帯電話１６による通話やWebサイトへのアクセスなどが可能となる。そのWebサイトへのアクセス履歴がインターネット１２を経由して個人情報管理会社１１に送信され、個人情報管理会社１１のデータベースに蓄積される。また、ユーザが携帯電話１６を使用して駅の改札を通過したり電子マネーによるショッピングを行なった場合にも、その改札通過情報やショッピング情報がインターネット１２を経由して個人情報管理会社１１に伝送され、個人情報管理会社１１のデータベースに蓄積される。さらに、携帯電話１６には、ＧＰＳ(Global Positioning System)機能が設けられており、携帯電話１６を所持しているユーザの現在地の情報（ＧＰＳ情報）がインターネット１２を経由して個人情報管理会社１１に伝送され、個人情報管理会社１１のデータベースに蓄積される。
【００２６】
携帯電話１６には、後述する非接触型ＩＣチップ４１（図８参照）が設けられており、この非接触型ＩＣチップ４１により、コンビニエンスストア８に設置されている複写機１７および大学生協１０に設置されている複写機１８と通信ができるように構成されている。
【００２７】
ユーザが大学生協１０の複写機１８により複写を行なうときに、携帯電話１６の非接触型ＩＣチップ４１で複写機１８と通信を行なった場合には、携帯電話１６の端末ＩＤ（Identification）が複写機１８に読取られてその複写機１８からインターネット１２を経由して個人情報管理会社１１へ伝送される。個人情報管理会社１１では、その端末ＩＤに対応するユーザの個人情報をインターネット１２を経由して広告会社４へ伝送する。広告会社４では、その伝送されてきたユーザの個人情報（行動履歴を含むプロフィール情報）に基づいて、データベースに蓄積している広告情報やニュース情報を検索したマッチする情報を抽出し、その情報をインターネット１２を経由して複写機１８へ伝送する。複写機１８では、複写対象物を複写用紙の表面側に複写するとともに伝送されてきた広告情報やニュース情報を複写用紙の裏面側に印刷して排出する。
【００２８】
コンビニエンスストア８の所在地に対応する地域情報が地域情報プロバイダ７からコンビニエンスストア８にインターネット１２経由で伝送され、コンビニエンスストア８はその伝送されてきた地域情報をデータベースに蓄積する。また、コンビニエンスストア８の所在位置に対応する地域での求人情報が求人広告会社６からコンビニエンスストア８にインターネット１２経由で伝送され、コンビニエンスストア８のデータベースに蓄積される。さらに、新聞社５のニュース情報がインターネット１２を経由してコンビニエンスストア８に伝送され、コンビニエンスストア８のデータベースに蓄積される。ユーザがコンビニエンスストア８に来店してそこに設置されている複写機１７を操作して、たとえば飲食店情報等の地域情報やニュース情報あるいはアルバイト情報等の求人情報のうちのいずれかを選択操作すれば、その選択されたジャンルに属する情報がデータベースから検索されて複写機１７により印刷されてユーザに提供される。その際の印刷代が、ユーザの携帯電話１６の非接触型ＩＣチップ４１と複写機１７とが通信することにより電子マネーとして支払われる。
【００２９】
さらに、広告会社４は、インターネット１２を経由してデジタルサイネージ９に広告情報を配信し、デジタルサイネージ９では、その配信されてきた広告情報を表示する。
【００３０】
本実施の形態における情報提供システムの動作説明図を図２に示す。図２を参照して、破線で示す矢印はニュース情報の流れであり、実線で示す矢印は広告情報の流れを示している。大学生が大学生協１０において、本情報提供システムの会員登録を行なって所有する携帯電話１６の端末ＩＤを登録することにより、この図２に示す情報提供システムを利用することが可能となる。
【００３１】
新聞社５からニュース情報が広告会社４に伝送されるとともに、広告主１から広告情報が広告会社４に伝送される。広告会社４では、その伝送されてきたニュース情報や広告情報をデータベースに蓄積するとともに、携帯電話１６に広告情報やニュース情報を配信する。また広告情報の一部はデジタルサイネージ１９に伝送され、その広告情報（たとえば「朝掘り竹の子入荷」がデジタルサイネージ１９に表示される。なお、デジタルサイネージ１９にはＱＲコード(二次元コード）５０も表示され、ユーザが携帯電話１６によりこのＱＲコードを読取って対応するWebサイトにアクセスすることにより、対応する広告主のWebサイトからより詳細な情報を入手することができる。
【００３２】
携帯電話１６に伝送された広告情報の中には、クーポン券などの情報も含まれており、この広告情報を記憶した携帯電話１６を持参して各種サービスプロバイダ２や各種小売店３あるいは大学生協１０に出向き、記憶されているクーポン券等の広告情報を利用して買物を行なうことができる。このクーポン券などを含む広告情報は、複写機１８やデジタルサイネージ９にも送信される。
【００３３】
大学生のユーザが大学生協１０などに設置されている複写機１８により複写を行なうときに、携帯電話１６の非接触型ＩＣチップ４１を利用して複写機１８と通信を行なった場合には、前述したようにそのユーザのプロフィール情報が個人情報管理会社１１から広告会社４へ伝送され、そのユーザのプロフィール情報に基づいて広告会社４のデータベースに蓄積されているニュース情報や広告情報が検索され、マッチするニュース情報や広告情報が複写機１８に配信される。複写機１８では、複写対象物を複写用紙の表面に複写するとともに、配信されてきたニュース情報や広告情報を複写用紙の裏面側に印刷して排出する。複写用紙２０の裏面側には、たとえば図示するように、各個人に向けた情報が掲載され、ニュースの情報、企業情報（広告情報）、クーポン券の情報、さらにはＱＲコード５１が印刷される。ユーザが携帯電話１６によりＱＲコード５１を読取って対応するWebサイトへアクセスすることにより、より詳しい企業情報やニュース情報を入手することができる。またユーザがこの複写用紙２０を持参して大学生協に出向いてクーポン券等を利用して買物をすることができる。なお、ニュースの情報、企業情報（広告情報）、クーポン券の情報、さらにはＱＲコード５１等の印刷は、複写用紙２０の裏面側に限らず、たとえば表面側の余白部分であってもよい。
【００３４】
複写機１８により複写する場合にはたとえば１枚１０円等のように複写料金が徴収されるのが一般的であるが、複写用紙の裏面側に広告情報（企業情報）やニュース情報が印刷される場合には、複写料金を無料または低減するようにしている。そして、その複写料金に対応するものとして、広告掲載料が広告主１から大学生協１０へ支払われる。
【００３５】
次に、広告会社４の構成を図３および図４に示す。まず図３を参照して、広告会社４には、インターネット１２に接続されるサーバ２１と、そのサーバ２１に接続されたニュースデータベース（以下単に「ＤＢ」という）２５、広告コンテンツＤＢ２２、顧客管理広告ＤＢ２３、顧客管理ニュースＤＢ２４が備えられている。
【００３６】
広告コンテンツＤＢ２２には、広告主１から伝送されてきた広告情報（広告コンテンツ）が格納されている。この広告コンテンツＤＢ２２には、格納している広告コンテンツの特徴を表わすためのタグが対応付けられて記憶されている。
【００３７】
顧客管理広告ＤＢは、顧客（ユーザ）に既に提供した広告コンテンツである広告提供履歴を格納している。そしてどの顧客（ユーザ）に提供したかを特定するための匿名ＩＤが対応付けられて記憶されている。この匿名ＩＤは、後述するように、個人情報管理会社１１から広告会社４に伝送されてくるものであり、ユーザのプライバシーを守りつつもユーザを特定できるようにするためのＩＤである。個人情報管理会社１１は、後述するように、端末ＩＤによってユーザを一義的に特定するが、その特定されたユーザのプロフィール情報（個人情報）を広告会社や各種小売店３や各種サービスプロバイダ２等のプロバイダに提供するときには、それぞれのプロバイダに対して異なった匿名ＩＤを利用して個人情報を提供する。これにより、各プロバイダにおいて、いわゆる名寄せ行為を阻止することができ、プライバシーが守られる。
【００３８】
次に図４を参照して、広告会社４のニュースＤＢには、新聞社５から伝送されてきた各種ニュースが格納されている。その各種ニュースには、ニュース内容の特徴を表わすタグが付与されてニュースＤＢ２５に格納されている。
【００３９】
前述した広告コンテンツＤＢ２２やこのニュースＤＢ２５に格納されているタグは、ユーザの個人情報（プロフィール情報）に基づいて当該ユーザにマッチする広告情報やニュース情報のコンテンツを検索するときに利用される。
【００４０】
広告会社４の顧客管理ニュースＤＢ２４には、顧客（ユーザ）に既に提供したニュースであるニュース提供履歴の情報が格納されている。また、そのニュースを提供したユーザを特定するための前述した匿名ＩＤも格納されている。
【００４１】
個人情報管理会社１１の構成を図５に示す。図５を参照して、個人情報管理会社１１は、インターネット１２に接続されるサーバ２６に、個人情報ＤＢ２７が備えられている。個人情報ＤＢ２７は、図示するように、ユーザの氏名、匿名ＩＤ、当該ユーザの個人情報を暗号化して格納している。個人情報としては、ユーザのいつもの乗り換え駅、ＧＰＳ情報、ユーザの趣味、ユーザの過去の購買履歴等の購買情報、ユーザが所持する携帯電話１６の端末ＩＤ等が格納されている。
【００４２】
なお、図５に示した匿名ＩＤである、たとえばｒ１ｆ３、ｅ９２ｃ、ｇｅ３９…は、広告会社４に対して配信される匿名ＩＤのみを示している。実際には、同一人物でありながら各種サービスプロバイダ２や各種小売店３等に応じて異なった匿名ＩＤが個人情報ＤＢ２７に格納されており、個人情報の送信先に応じて対応する匿名ＩＤを個人情報（プロフィール情報）とともに送信する。プライバシ保護のために、ユーザの氏名等の個人特定情報は一切送信されない。
【００４３】
次に、大学生協１０の構成を図６に示す。図６を参照して、ユーザ（大学生）は、予め本情報システムを利用するための会員登録を行なう。その登録に際しては、学生証を提示するとともにその学生証の内容である氏名、住所、学部、学年がサーバ２８から入力されて学生登録ＤＢ２９に格納される。またユーザ（大学生）が所持する携帯電話１６の端末ＩＤがサーバ２８により読取られてその端末ＩＤが学生登録ＤＢ２９に格納される。なお、会員登録は、大学生協１０に限らず、スーパやコンビニエンスストアやドラッグストアであってもよく、さらには、広告会社４等が学生にメール送信して会員を募って会員登録してもよい。
【００４４】
会員登録を済ませたユーザ（大学生）が、複写機１８により複写を行なうときに自己が所持する携帯電話１６を複写機１８に設けられているチップリーダ３４にかざして、携帯電話１６の無線通信部４１によって通信を行なう。その結果、チップリーダ３４により携帯電話１６に記憶されている端末ＩＤ（識別情報）が読取られてその端末ＩＤがサーバ２８に伝送される。サーバ２８では、その送られてきた端末ＩＤに基づいて学生登録ＤＢ２９を検索する。学生登録ＤＢ２９に既に登録されている端末ＩＤの場合には、その端末ＩＤを個人情報管理会社１１へ伝送するとともに、その端末ＩＤに対応して記憶されている学部と学年のデータを広告会社４へ伝送する。なお、携帯電話１６による端末ＩＤの入力の代わりにまたはそれに加えて、ユーザがキーボード等から手動で識別情報（学生番号等）を入力し、その識別情報を端末ＩＤの代わりに利用できるようにしてもよい。
【００４５】
複写機１８は、さらに、複写操作が行なわれたことにより複写対象のデータを読取ってその複写データをサーバ２８に伝送し、サーバ２８がその複写データを広告会社４へ伝送する。
【００４６】
広告情報やニュース情報がインターネット１２を経由してサーバ２８に送られてきた場合には、サーバ２８はその送られてきた情報を複写機１８へ伝送する。複写機１８では、複写対象物を複写用紙の表面側に複写するとともに、伝送されてきた広告情報やニュース情報をその複写用紙の裏面側に印刷して排出する。
【００４７】
なお、会員登録していないユーザ（学生）が携帯電話１６をチップリーダ３４にかざした場合には、その携帯電話１６の端末ＩＤが学生登録ＤＢ２９に登録されていないために、サーバ２８は、その旨を複写機１８に返信する。複写機１８は、登録されていない旨のメッセージをタッチパネル３０に表示する。
【００４８】
次に、コンビニエンスストア８の構成を図７に示す。図７を参照して、前述したように、コンビニエンスストア８には、地域情報プロバイダ７から地域情報が伝送されてくるとともに、新聞社５からのニュース情報、求人広告会社６からの求人情報が伝送されてくる。サーバ３２は、その伝送されてきた情報を、地域情報ＤＢ３３に分類して格納する。地域情報ＤＢ３３には、図示するように、たとえば、飲食店情報、音楽情報、ファッション情報、ドライブマップ情報、号外ニュース情報、速報スポーツ情報、株価情報、今日／明日のアルバイト情報、正社員・パート情報が格納される。
【００４９】
コンビニエンスストア８に設置されている複写機１７は、サーバ３２と接続されており、地域情報ＤＢ３３に格納されている各種情報のタイトル（メニュー）がサーバ３２から複写機１７に送信されてくる。複写機１７で、その送信されてきたメニューをタッチパネル３１に表示する。
【００５０】
コンビニエンスストア８に来店したユーザがタッチパネル３１に表示されたメニューを選んでタッチ操作すれば、その操作されたメニューの情報がサーバ３２に伝送され、サーバ３２は、その伝送されてきたメニューに対応する情報を地域情報ＤＢ３３から検索してその検索した情報を複写機１７に伝送する。複写機１７では、その伝送されてきた情報を複写用紙に印刷して来店客に提供する。
【００５１】
以上説明した各種サーバ２１、２６、２８、３２は、データ処理部と記憶部とデータ入力部と表示部と通信部とを含んでいる。記憶部は、ＲＯＭやフラッシュメモリなどの不揮発性メモリやＲＡＭなどの揮発性メモリなどの半導体メモリ、および、ハードディスクなどの外部記憶装置で構成されている。記憶部には、各種制御プログラムやデータが記憶されている。データ入力部は、キーボードおよびマウスなどの入力装置で構成されている。表示部は、ＬＣＤで構成されている。通信部は、携帯電話１６または他のサーバから、インターネット１２または他のネットワークを介して受信したデータをデータ処理部に受渡し、データ処理部からインターネット１２または他のネットワークを介して携帯電話１６または他のサーバに送信するデータを出力する。
【００５２】
また、前述の各複写機１７、１８は、データ処理部と記憶部とデータ入力部と表示部と通信部とを含んでいる。記憶部は、ＲＯＭやフラッシュメモリなどの不揮発性メモリやＲＡＭなどの揮発性メモリなどの半導体メモリで構成されている。記憶部には、各種制御プログラムやデータが記憶されている。データ入力部は、キーボードおよびタッチパネルなどの入力装置で構成されている。表示部は、タッチパネルで構成されている。通信部は、携帯電話１６またはサーバから、インターネット１２または他のネットワークを介して受信したデータをデータ処理部に受渡し、データ処理部からインターネット１２または他のネットワークを介して携帯電話１６またはサーバに送信するデータを出力する。
【００５３】
携帯電話１６の構成の一例を示すブロック図を図８に示す。図８を参照して、携帯電話１６は、データ処理部３５と、データ入力部３７と、表示部３８と、音声入出力部３９と、無線通信部４０と、アンテナ４６と、前述した非接触型ＩＣチップ４１とが備えられている。
【００５４】
記憶部３６は、ＲＯＭ(Read-Only Memory)やフラッシュメモリなどの不揮発性メモリやＲＡＭ（Random Access Memory）などの揮発性メモリなどの半導体メモリで構成されている。記憶部３６は、携帯電話１６の各種機能をデータ処理部３５に実行させるためのプログラムやデータを記憶している。たとえば、図示するように、Webブラウザやその他のプログラムを記憶しているとともに、当該携帯電話１６の端末ＩＤ、ＱＲコードを読取って対応するWebサーバにアクセスするためのＱＲコード処理のプログラムの記憶されている。
【００５５】
データ入力部３７は、電話番号や各種データなどの数字やアルファベットやその他の文字などを入力するためのダイヤルキーや十字操作キーやその他のファンクションキー、さらには撮影用カメラで構成されている。データ入力部３７は、ユーザからデータの入力や撮影用カメラによる撮影画像データを受付けて、入力されたデータをデータ処理部３５に受渡す。
【００５６】
表示部３８は、液晶表示装置で構成されている。なお、表示部３８は、ＥＬディスプレイなど他の表示装置で構成されてもよい。表示部３８は、データ処理部３５から受けた文字データおよび画像データを表示する。
【００５７】
音声入出力部３７は、マイクおよびスピーカで構成されている。音声に出力部３７は、外部から入力された音声を電気信号の変えて、データ処理部３５に受渡し、データ処理部３５からの電気信号を音声に変換して、外部に出力する。
【００５８】
無線通信部４０は、他の携帯電話またはサーバからアンテナ４６で受信した信号をデータ処理部３５に受渡し、データ処理部３５からの他の携帯電話またはサーバへ送信する信号をアンテナ４６から出力させる。
【００５９】
データ処理部３５は、マイクロプロセッサで構成される。データ処理部３５は、非接触型ＩＣチップ４１の制御部４３と通信することが可能である。データ処理部３５は、記憶部３６に記憶されたプログラムに従って、記憶部３６、データ入力部３７、無線通信部４０、音声入出力部３９、または、非接触型ＩＣチップ４１の制御部４３から入力されたデータを処理して、記憶部３６、表示部３８、無線通信部４０、音声入出力部３７、または、非接触型ＩＣチップ４１の制御部４３に出力する。
【００６０】
非接触型ＩＣチップ４１の記憶部４１は、非接触型ＩＣチップ４１を利用する各種サービスで用いられる電子マネーやサービスポイントなどのデータ、および、アプリケーションプログラムで用いられるデータを記憶している。また、当該携帯電話１６の端末ＩＤも記憶している。
【００６１】
非接触型ＩＣチップ４１の非接触通信部４２は、アンテナ４７を介して外部のチップリーダと通信する。本実施の形態においては、非接触通信部４２は、複写機に設けられたチップリーダ３４と通信する。外部のチップリーダ３４から電磁波による電磁誘導によって、非接触通信部４２は、アンテナ４７から電力を受け、非接触型ＩＣチップ４１の各部に電力を供給する。
【００６２】
次に、広告会社４のサーバ２１の制御動作を、図９（ａ）（ｂ）（ｃ）および図１０（ａ）に基づいて説明する。
【００６３】
まず図１９（ａ）を参照して、広告会社４のサーバ２１は、まず、ステップＳ（以下単にＳという）１により、新聞社５からのニュース情報の処理を行ない、Ｓ２により、広告主１からの広告情報の処理を行ない、Ｓ３により、複写機１８への情報配信処理を行なう。次にＳ４によりサーバ２１の処理を終了してよいか否かの判断を行ない、まだ終了しない場合には再びＳ１へ戻る。
【００６４】
Ｓ１の新聞社からのニュース情報処理のサブルーチンプログラムを示すフローチャートが図９（ｂ）に示されている。新聞社５から広告会社４に送信されてくるニュース情報は、図２に基づいて説明したように、携帯向けのニュース情報と複写機向けのニュース情報とがある。Ｓ１０により、携帯向けニュース情報を受信したか否かの判断がなされ、受信していない場合には、Ｓ１２により、複写機向けニュース情報を受信したか否かの判断がなされて、受信していない場合にはこのサブルーチンプログラムの処理が終了する。
【００６５】
一方、新聞社５から携帯向けニュース情報が広告会社４に送信されてきた場合には、Ｓ１０によりＹＥＳの判断がなされてＳ１１に進み、登録ユーザの携帯電話１６にその受信したニュースを配信する処理が行なわれる。この登録ユーザとは、広告会社４による情報配信サービスに会員登録しているユーザのことである。
【００６６】
次に、広告主１から広告情報が広告会社４に送信されてきた場合には、Ｓ１２によりＹＥＳの判断がなれてＳ１３へ進み、その受信したニュース情報に対してタグ付け処理が行なわれる。このタグ付け処理とは、図４のニュースＤＢ２５の箇所で説明したように、マッチングによるニュース検索のためのタグを生成して付与する処理である。これにより、ニュースの内容の特徴を表わすタグが付与されることとなる。具体的な方法としては、たとえば、ニュース情報からテキストを抽出してそのテキストに対して形態素解析を行なって単語を抽出し、頻繁に出てくる単語自体またはそれに類似する単語をタグとして用いる。他の方法としては、自然言語処理による文脈を考慮したニュースの特徴を表わすタグを生成し、付与するようにしてもよい。
【００６７】
次にＳ１４により、そのタグ付けが行なわれたニュース情報をニュースＤＢ２５に格納する処理が行なわれる。
【００６８】
次に、前述のＳ２に示した広告主からの広告情報処理のサブルーチンプログラムのフローチャートを図９（ｃ）に基づいて説明する。広告主１から広告会社４へ送信されてくる広告情報は、図２に基づいて説明したように、携帯向け広告情報と複写機向け広告情報とがある。Ｓ１５により、携帯向け広告情報を受信したか否かの判断がなされ、受信していない場合にはＳ１７へ進む、複写機向け広告情報を受信したか否かの判断がなされ、受信していない場合にはこのサブルーチンプログラムの処理が終了する。
【００６９】
一方、広告主１から携帯向け広告情報が広告会社４へ送信されてきた場合には、Ｓ１５によりＹＥＳの判断がなされてＳ１６へ進み、登録ユーザの携帯電話１６にその受信した広告情報を配信する処理が行なわれる。また、広告主１から複写機向け広告情報が広告会社４へ送信されてきた場合には、Ｓ１７によりＹＥＳの判断がなされてＳ１８へ進み、タグ付け処理が行なわれた後Ｓ１９により広告コンテンツＤＢ２２に格納する処理が行なわれる。このＳ１８によるタグ付け処理とは、前述したＳ１３で説明したタグ付け処理と同様の処理である。
【００７０】
次に前述したＳ３に示した複写機への情報配信処理のサブルーチンプログラムのフローチャートを図１０（ａ）に基づいて説明する。まずＳ２５により、複写機１８からの配信要求があったか否かの判断がなされ、ない場合にはこのサブルーチンプログラムの処理が終了する。複写機１８は、学生登録ＤＢ２９に登録されているユーザ（学生）が携帯電話１６をチップリーダ３４にかざして複写を行なう際には、後述するＳ５６により広告会社４へ配信要求を送信する。この配信要求は、複写機ＩＤ，学生登録情報，複写機が複写対象物を読取った複写情報が含まれている。複写機１８から配信要求があれば、Ｓ２６へ進み、送信されてきた複写機ＩＤを個人情報管理会社１１へ送信する処理が行なわれる。個人情報管理会社１１では、複写しようとしているユーザの個人情報を検索して広告会社４へ送信する処理を行なう。これについては後述する。
【００７１】
個人情報管理会社１１から広告会社４へ個人情報の返信があったか否かの判断がＳ２７により行なわれ、返信された段階でＳ２８へ進み、配信要求として送信されてきた学生登録情報（学部や学年等）と個人情報管理会社１１から送信されてきた個人情報と複写情報とニュースＤＢ２５および広告コンテンツＤＢ２２のデータとをマッチングする処理が行なわれる。つまり、学生登録情報（学部や学年）と個人情報と複写情報とからなるユーザ情報にマッチするデータをニュースＤＢ２５および広告コンテンツＤＢ２２に格納されるデータから検索する処理がＳ２８により実行される。このＳ２８によるマッチング検索処理は、前述したタグを利用して行なわれる。たとえば、図５を参照してユーザ名が「花子」のユーザの場合には、個人情報として乗り換え駅が秋葉原となっているために、ニュース情報として秋葉原事件（図４参照）が提供される。またユーザ名次郎の場合には、学生登録情報として学部が工学部であるために（図６参照）、タグとして「工学関係」が付与されたニュースである量子暗号のニュース情報が提供される（図４参照）。
【００７２】
次にＳ２９により、マッチするニュースと広告とを複数抽出する処理が行なわれる。次にＳ３０により、顧客管理ニュースＤＢ２４と顧客管理広告ＤＢ２３とを検索して既にユーザに提供済みのものを排除する処理が行なわれる。次にＳ３１に進み、排除後の残ったデータをマッチング度合の高い順に大学生協１０のサーバ２８経由で複写機１８に送信する処理が行なわれる。次にＳ３２に進み、その送信したデータを顧客管理ニュースＤＢ２４と顧客管理広告ＤＢ２３とに記憶する処理が行なわれる。なお、既にユーザに提供済みのものの排除は、必ずしも必須ではなく、たとえば比較的高い広告料を支払っている広告主の広告等は複数回重複して送信してもよい。
【００７３】
次に個人情報管理会社１１のサーバ２６によるプログラム処理を図１０（ｂ）に基づいて説明する。まずＳ４０により、携帯電話１６からの情報を受信したか否かの判断がなされ、受信していない場合にはＳ４２により、複写機１８から複写機ＩＤと端末ＩＤとを受信したか否かの判断がなされ、受信していない場合にはＳ４５により、広告会社４から複写機ＩＤを受信したか否かの判断がなされ、受信していない場合にはＳ４７に進み、終了してよいかいないかの判断がなされて終了すべきでないときにはＳ４０に戻る。
【００７４】
前述したように、ユーザが携帯電話１６を使用して、駅の改札を通過したりショッピングによる決済を行なったりWebサイトにアクセスしたり等を行なった場合に、そのユーザの行動履歴情報（ライフログともいう）が、携帯電話１６から個人情報管理会社１１のサーバ２６へ送信される。その際に、携帯電話１６は端末ＩＤも併せて個人情報管理会社１１のサーバ２６へ送信する。サーバ２６では、それら情報が携帯電話１６から送信されてくれば、Ｓ４０によりＹＥＳの判断がなされてＳ４１へ進み、その受信した端末ＩＤに対応付けて受信情報（行動履歴としてのライフログ）を個人情報ＤＢ２７に格納する処理が行なわれる。そのユーザの行動履歴情報（ライフログ）が格納された状態が、図５に示されている。
【００７５】
次に、学生登録しているユーザが携帯電話１６を複写機１８のチップリーダ３４にかざして複写を行なう場合には、その携帯電話１６の端末ＩＤと複写機ＩＤとが個人情報管理会社へ送信されてくる（Ｓ５２参照）。すると、Ｓ４２によりＹＥＳの判断がなされてＳ４３へ進み、両ＩＤを対応付けて記憶する処理が行なわれる。この記憶は、一時記憶で事足り、サーバ２８のＲＡＭ等のメモリに記憶される。次にＳ４４へ進み、端末ＩＤに対応する個人情報を検索する処理が行なわれる。たとえば、端末ＩＤが「１８０９２」の場合には、名前が太郎、匿名ＩＤがｒ１ｆ３、乗り換え駅が渋谷、ＧＰＳ情報が横浜−新宿、趣味が音楽、購買情報が楽曲，ＣＤ，…の個人情報が検索される。
【００７６】
次に、学生登録しているユーザが携帯電話１６をチップリーダ３４にかざして複写機１８で複写する場合に、複写操作を行なうことにより、複写機ＩＤ，学生登録情報，複写情報を含む配信要求が広告会社４に送信され（Ｓ５６参照）、広告会社４のサーバ２１が前述したようにその配信要求を受けて複写機ＩＤを個人情報管理会社１１のサーバ２６へ送信する（Ｓ２６参照）。すると、Ｓ４５によりＹＥＳの判断がなされてＳ４６へ進み、前述したＳ４３で対応付けて記憶されている両ＩＤの記憶データに基づいて、送信されてきた複写機ＩＤに対応する端末ＩＤを割出し、その端末ＩＤに対応して検索されている個人情報（Ｓ４４により検索されている個人情報）を広告会社４へ返信する処理が行なわれる。
【００７７】
次に、大学生協１０に設置されている複写機１８の動作プログラムを図１１に基づいて説明する。まずＳ５０により、携帯電話１６と通信があったか否かの判断がなされ、ない場合には制御がＳ５４へ進む。学生登録しているユーザが複写機１８により複写する際にチップリーダ３４に携帯電話１６をかざせば、携帯電話１６の無線ＩＣチップとＩＣチップリーダ３４とが交信し、携帯電話１６から端末ＩＤが送信されてくる。すると制御がＳ５１へ進み、その送信されてきた端末ＩＤが学生登録ＤＢ２９に登録されているか否かの判断が行なわれる。登録されていなければ制御がＳ５４へ進むが、登録されている場合にはＳ５２により、その端末ＩＤと複写機ＩＤとを個人情報管理会社１１のサーバ２６へ送信する処理が行なわれる。次にＳ５３により広告モードフラグをＯＮにする処理が行なわれる。複写機１８は、複写用紙の裏面に広告やニュースを印刷する広告モードと何も印刷しない通常モードとの２種類のモードが切換えられるように構成されており、Ｓ５３により広告モードフラグをＯＮにすることにより広告モードに切換えられる。
【００７８】
次にユーザが複写操作を行なったか否かの判断がＳ５４により行なわれ、複写操作が行なわれた段階でＳ５５に制御が進み、広告モードフラグがＯＮになっているか否かの判断がなされる。広告モードがＯＮになっていない場合にはＳ６１により通常複写処理が実行された後Ｓ６０へ進む。一方、広告モードフラグがＯＮになっている場合にはＳ５６へ制御が進み、広告会社４への配信要求として、複写機ＩＤ，学生登録情報（学部や学年等），複写情報（複写機１８が複写対象物を複写するべく読取ったデータ）を広告会社４へ送信する処理が行なわれる。次にＳ５７により、広告会社４からのデータの返信があったか否かの判断がなされ、返信があるまで待機する。
【００７９】
広告会社４のサーバ２１は、前述したように、複写機からの配信要求があれば当該ユーザにマッチするニュースと広告とをマッチング度合の高い順に返信する（Ｓ２５〜Ｓ３１参照）。その返信があった場合にＳ５７によるＹＥＳの判断がなされてＳ５８に制御が進み、返信されてきたデータを受信した順にコピー裏面に印刷する処理が行なわれる。つまり、複数枚の複写用紙に複写する場合に、その裏面側にマッチング度合の高い順に順次受信データが印刷されることとなる。その結果、たとえば、受信したデータが１０種類あり複写枚数が７枚の場合には、その７枚の複写用紙の裏面側にマッチング度合の高い順に広告情報やニュース情報が印刷されることとなり、残りの３種類の広告情報やニュース情報が印刷されないこととなる。しかし、残りの３種類の情報は、マッチング度合が低いすなわち当該ユーザにとって重要性の低い情報であるために、印刷されなかったとしてもユーザにとって大きなマイナスとはならない。
【００８０】
次にＳ５９により、広告モードフラグをＯＦＦにする処理が行なわれた後、Ｓ６０へ進む。
【００８１】
次に、コンビニエンスストア８の複写機１７の動作プログラムを図１２に基づいて説明する。まずＳ７０により、地域情報プロバイダ７，新聞社５，求人広告会社６のいずれかから情報を受信したか否かの判断がなされ、受信していない場合にはＳ７２に進み、メニュー選択操作があったか否かの判断がなされ、ない場合にはＳ７４へ進み、終了してよいか否かの判断がなされ、終了すべきでない場合にはＳ７０へ制御が戻る。
【００８２】
地域情報プロバイダ７，新聞社５，求人広告会社６のいずれかから情報を受信した場合には、Ｓ７１へ進み、地域情報ＤＢの情報をその受信した情報に更新するまたは追加する処理が行なわれる。地域情報プロバイダ７からは、たとえば、飲食店情報、音楽情報、ファッション情報、ドライブマップ情報が送信されてくる（図７参照）。新聞社５からは、号外ニュース、速報ニュース、株価情報が送信されてくる（図７参照）。求人広告会社６からは、今日／明日のアルバイト情報、正社員・パート情報が送信されてくる（図７参照）。これらの情報に基づいて地域情報ＤＢ３３が更新される。
【００８３】
次に、コンビニエンスストア８に来店したユーザが複写機１７のタッチパネル３１に表示されているメニュー画面を見て、入手したい情報を選択するべくメニュー選択を行なえば、Ｓ７２によりＹＥＳの判断がなされてＳ７３へ制御が進む。Ｓ７３では、選択操作されたメニュー対応するデータを地域情報ＤＢ３３から検索してその情報を複写機１７に送信し、複写機１７により印刷させる制御がなされる。
【００８４】
以上説明した実施の形態における変形例を以下に説明する。
（１）  前述の実施の形態においては、複写情報に基づいてニュース情報あるいは広告情報とのマッチング検索を行なうものを示したが（Ｓ２８参照）、それに加えてまたはそれに代えて、インターネット上のWeb情報のマッチング検索さらには図書館等における書籍情報のマッチング検索を行ない、そのマッチング検索結果を複写用紙に印刷してユーザに提供するようにしてもよい。
【００８５】
（２）  携帯電話１６を使用したユーザの行動履歴情報（ライフログ）を広告会社４とは異なる個人情報管理会社１１により収集するものを示したが、それに代えてまたはそれに加えて、広告会社４自らユーザの行動履歴情報（ライフログ）を収集するようにしてもよい。
【００８６】
（３）  コンビニエンスストア８のサーバ３２に対して、地域情報プロバイダ７、新聞社５、求人広告会社が直接情報を送信するものを示したが、それに代えてまたはそれに加えて、地域情報プロバイダ７、新聞社５、求人広告会社４６の情報を一旦広告会社４に送信してもらい、広告会社４において、それらの情報を取りまとめて集計し、情報に対応した地域に設立されているコンビニエンスストア８に広告会社４から配信するようにしてもよい。その場合には、コンビニエンスストア８の設立地域情報を事前に広告会社４が集計してデータベースを構築しておく必要がある。
【００８７】
（４）  図２に示したＱＲコード５０、５１を携帯電話１６により読取って対応するWebサイトにアクセスする際に、どこのデジタルサイネージ１９のＱＲコード５０を読取ったかおよびどこの複写機１８から出力された複写用紙のＱＲコード５１を読取ったかが、アクセス先のWebサイトにおいて判別できるように、ＱＲコード５０、５１にそれら判別用のデータを記録させておき、ＱＲコード読取箇所を特定できるようにし、Webサイト側において宣伝広告効果を測定できるようにし、後におけるマーケティング戦略に役立てることができるように構成してもよい。
【００８８】
（５）  ユーザの携帯端末としては、携帯電話１６に限らず、ＩＣカードや磁気カード等、どのようなものであってもよい。
【００８９】
（６）  以上説明した実施の形態におけるフローチャートは、それらフローチャートで示されるプログラムがネットワークあるいは記録媒体に記録された状態で流通販売され、各種サーバあるいは複写機に適宜記憶されて動作するように構成される。
【００９０】
（７）  また、以上説明した実施の形態では、ソフトウェアにより制御するものを示したが、それらソフトウェアの全部または一部をハードウェアで構成するようにしてもよい。
【００９１】
（８）  ユーザの個人情報をユーザ毎に対応付けて格納しているユーザ情報データベースとしては、必ずしも個人情報ＤＢ２７と学生登録ＤＢ２９との両方が必要ではなく、どちらか一方のみであってもよい。
【００９２】
（９）  今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９３】
【図１】情報提供システムの全体構成を示す図である。
【図２】情報提供システムの動作の流れを示す説明図である。
【図３】広告会社の構成を示す図である。
【図４】広告会社の構成を示す図である。
【図５】個人情報管理会社の構成を示す図である。
【図６】大学生協の構成を示す図である。
【図７】コンビニエンスストアの構成を示す図である。
【図８】携帯電話の制御ブロック図である。
【図９】（ａ）は広告会社サーバのフローチャートであり、（ｂ）は新聞社からのニュース情報処理のサブルーチンプログラムを示すフローチャートであり、（ｃ）は広告主からの広告情報処理のサブルーチンプログラムを示すフローチャートである。
【図１０】（ａ）は複写機への情報配信処理のサブルーチンプログラムを示すフローチャートであり、（ｂ）は個人情報管理会社のサーバの制御動作を示すフローチャートである。
【図１１】大学生協の複写機の制御動作を示すフローチャートである。
【図１２】コンビニエンスストアの複写機の制御動作を示すフローチャートである。
【符号の説明】
【００９４】
１  広告主、２  各種サービスプロバイダ、３  各種小売店、４  広告会社、５  新聞社、６  求人広告会社、７  地域情報プロバイダ、８  コンビニエンスストア、９  デジタルサイネージ、１０  大学生協、１１  個人情報管理会社、１２  インターネット、１３  ゲートウェイ、１４  携帯電話網、１５  基地局、１６  携帯電話、１７，１８  複写機、５０，５１  ＱＲコード、２１，２６，２８，３２  サーバ、２５  ニュースＤＢ、２２  広告コンテンツＤＢ、２３  顧客管理広告ＤＢ、２４  顧客管理ニュースＤＢ、２７  個人情報ＤＢ、２９  学生登録ＤＢ、３４  ＩＣチップリーダ、３０，３１  タッチパネル、３３  地域情報ＤＢ、３７  データ入力部、３８  表示部、３５  データ処理部、４０  無線通信部、４１  非接触ＩＣチップ、４３  制御部、４２  非接触通信部。
【図１】
2010134620.tif 000003
【図２】
2010134620.tif 000004
【図３】
2010134620.tif 000005
【図４】
2010134620.tif 000006
【図５】
2010134620.tif 000007
【図６】
2010134620.tif 000008
【図７】
2010134620.tif 000009
【図８】
2010134620.tif 000010
【図９】
2010134620.tif 000011
【図１０】
2010134620.tif 000012
【図１１】
2010134620.tif 000013
【図１２】
2010134620.tif 000014